(57)【要約】【課題】番組を識別する際のユーザの利便性を向上させる。【解決手段】少なくとも一つの電子機器と番組情報補正装置とを具備する番組情報補正システムであって、電子機器は、ユーザの操作を受け付ける入力部と、入力部が受け付けたユーザ操作に応じて前記番組に関する番組情報を補正する前記番組情報補正装置へ送信し、該番組情報補正装置から変更後の番組情報を受信する端末通信部と、端末通信部が受信した変更後の番組情報を表示装置に表示させる制御部と、を備え、番組情報補正装置は、番組特定情報を受信する通信部と、通信部が受信した番組特定情報に応じて、番組情報を変更する補正部と、を備え、通信部は、補正部が変更した番組情報を電子機器に送信する。【選択図】図１
2014072882.tif 000002
【特許請求の範囲】
【請求項１】
少なくとも一つの電子機器と番組情報補正装置とを具備する番組情報補正システムであって、
前記電子機器は、
ユーザの操作を受け付ける入力部と、
前記入力部が受け付けたユーザ操作に応じて番組を特定するための番組特定情報を、該番組特定情報に応じて前記番組に関する番組情報を補正する前記番組情報補正装置へ送信し、該番組情報補正装置から変更後の番組情報を受信する端末通信部と、
前記端末通信部が受信した変更後の番組情報を表示装置に表示させる制御部と、
を備え、
前記番組情報補正装置は、
ユーザの操作に応じて前記電子機器から送信された、前記番組を特定するための番組特定情報を受信する通信部と、
前記通信部が受信した番組特定情報に応じて、前記番組情報を補正する補正部と、
を備え、
前記通信部は、前記補正部が変更した番組情報を前記電子機器に送信する番組情報補正システム。
【請求項２】
前記番組情報補正装置は、番組のタイトル、話数及びサブタイトルが関連付けられて記憶されている番組情報記憶部を備え、
前記補正部は、番組のタイトルを少なくともキーにして、前記番組情報記憶部から話数またはサブタイトルのうち少なくともいずれかを読み出し、読み出したもので前記番組情報を補完する請求項１に記載の番組情報補正システム。
【請求項３】
前記通信部は、番組のタイトルを少なくとも含む番組情報を前記電子機器から受信し、
前記補正部は、通信部が受信した番組情報から番組のタイトル、話数及びサブタイトルの抽出を試み、全て抽出できなかった場合、抽出できなかったものを前記番組情報記憶部に蓄積されたデータで補完する請求項２に記載の番組情報補正システム。
【請求項４】
前記番組情報記憶部には、番組の日時に関する番組日時情報と番組を識別する番組識別情報とが前記番組情報に関連付けられて記憶されており、
前記通信部は、番組の録画情報を少なくとも一つ以上の電子機器から受信し、
前記番組情報補正装置は、受信した番組の録画情報に含まれる番組の日時と番組識別情報とが、前記番組情報記憶部に蓄積されている番組の日時と番組識別情報とに一致する場合、前記番組の録画情報と前記番組情報記憶部に蓄積されている番組情報のうち最新の方を蓄積し、一致しない場合、受信した番組の録画情報を前記番組情報記憶部に蓄積する蓄積処理部を備える請求項２または３に記載の番組情報補正システム。
【請求項５】
番組の順位に関する順位情報を生成する番組順位生成部を備え、
前記補正部は、前記番組順位生成部が生成した順位情報を前記番組情報に付加する請求項１から４のいずれか一項に記載の番組情報補正システム。
【請求項６】
前記通信部は、ユーザが指定した項目を示す項目情報を前記電子機器から受信し、
前記補正部は、前記通信部が受信した項目情報を前記番組情報に付加する請求項１から５のいずれか一項に記載の番組情報補正システム。
【請求項７】
番組の番組情報の表示に関するユーザの操作に応じて電子機器から送信された前記番組を特定するための番組特定情報を受信する通信部と、
前記通信部が受信した番組特定情報に応じて、前記番組情報を変更する補正部と、
を備え、
前記通信部は、前記補正部が変更した番組情報を前記電子機器に送信する番組情報補正装置。
【請求項８】
ユーザの操作を受け付ける入力部と、
前記入力部が受け付けたユーザ操作に応じて番組を特定するための番組特定情報を、該番組特定情報に応じて前記番組に関する番組情報を変更する番組情報補正装置へ送信し、該番組情報補正装置から変更後の番組情報を受信する通信部と、
前記通信部が受信した変更後の番組情報を表示装置に表示させる制御部と、
を備える電子機器。
【請求項９】
通信部が、ユーザの操作に応じて電子機器から送信された、前記番組を特定するための番組特定情報を受信する手順と、
補正部が、前記通信部が受信した番組特定情報に応じて、前記番組に関する番組情報を変更する手順と、
前記通信部が、前記補正部が変更した番組情報を前記電子機器に送信する手順と、
を有する番組情報補正方法。
【請求項１０】
入力部が、ユーザの操作を受け付ける手順と、
通信部が、前記入力部が受け付けたユーザ操作に応じて番組を特定するための番組特定情報を、該番組特定情報に応じて前記番組に関する番組情報を変更する番組情報補正装置へ送信し、該番組情報補正装置から変更後の番組情報を受信する手順と、
制御部が、前記通信部が受信した変更後の番組情報を表示装置に表示させる手順と、
を有する番組情報取得方法。
【請求項１１】
番組情報補正装置に、
ユーザの操作に応じて電子機器から送信された、番組を特定するための番組特定情報を受信する通信ステップと、
前記通信ステップにより受信された番組特定情報に応じて、前記番組に関する番組情報を変更する変更ステップと、
前記変更ステップにより変更された番組情報を前記電子機器に送信するステップと、
を実行させるための番組情報補正プログラム。
【請求項１２】
電子機器に、
ユーザの操作を受け付ける入力ステップと、
前記入力ステップにより受け付けられたユーザ操作に応じて番組を特定するための番組特定情報を、該番組特定情報に応じて前記番組に関する番組情報を変更する番組情報補正装置へ送信し、該番組情報補正装置から変更後の番組情報を受信する通信ステップと、
前記通信ステップにより受信された変更後の番組情報を表示装置に表示させる制御ステップと、
を実行させるための番組情報取得プログラム。
【発明の詳細な説明】
【技術分野】
【０００１】
本発明は、番組情報補正システム、番組情報補正装置、電子機器、番組情報補正方法、番組情報取得方法、番組情報補正プログラム及び番組情報取得プログラムに関する。
【背景技術】
【０００２】
録画装置がテレビ番組を録画する時、該当番組の公式番組情報（以下、ＳＩ（Ｓｅｒｖｉｃｅ  Ｉｎｆｏｒｍａｔｉｏｎ）情報ともいう）を保存する。そして、録画装置は、その保存したＳＩ情報を使って録画リストを表示し、ユーザはその表示された録画リストを見て、録画番組の視聴や整理をしていた。従来、録画情報の整理を容易にする技術が開発されている。
【０００３】
例えば、特許文献１には、放送データを受信する放送データ受信部と、放送データ受信部によって受信された放送データから、この放送データに関するデータ（ＥＰＧ（電子番組ガイド）データ）を取得するＥＰＧデータ取得部と、ＥＰＧデータ取得部によって取得されたＥＰＧデータをもとに、放送データを管理するための情報管理テーブルを生成する情報管理テーブル生成部と、放送データ受信部によって受信された放送データを、情報管理テーブル生成部によって生成された情報管理テーブルと共に記録メディアに記録させる放送データ録画部とを有している放送データ録画装置が開示されている。また、放送データとして送られてきたＥＰＧデータの情報では不十分である場合やＥＰＧデータがない場合は、外部からＥＰＧデータと同等のデータを取得して、このデータをもとにして情報管理テーブルを作成することが記載されている（特許文献１の第５９段落）。
【０００４】
また、従来、同一シリーズの録画番組からの番組検出を容易にする技術が開発されている。例えば、特許文献２には、ＥＰＧの番組情報の中から番組の識別に有用な情報としてサブ番組情報及びゲスト出演者情報を抽出し、シリーズ番組のタイトルを選択したとき、各放送回のサブタイトルとゲスト出演者名を一覧表示する番組録画装置が開示されている。
【先行技術文献】
【特許文献】
【０００５】
【特許文献１】特開２００１−０４５４１８号公報
【特許文献２】特開２００９−２９０４９１号公報
【発明の概要】
【発明が解決しようとする課題】
【０００６】
しかし、テレビ番組のＳＩ情報が放送局によっては不完全な場合があるので、従来の録画装置では、放送局によって番組タイトルの表記方式が異なっていた。例えば、従来の録画装置が放送局Ａである番組を録画した場合に、録画タイトルを表示すると番組名と話数（連続番組の番組回数）が表示される。一方、例えば、従来の録画装置が放送局Ｂで同じ番組を録画した場合に、録画タイトルを表示すると番組名と話数とサブタイトルが表示される。更に、例えば、従来の録画装置が放送局Ｃで同じ番組を録画した場合に、録画タイトルを表示すると番組名のみが表示される。
【０００７】
このため、ユーザが録画した後、録画リストを見て番組の視聴または録画番組の整理をしようとしたとき、またはユーザがＥＰＧを見るときに、放送局によっては不完全な番組情報が表示されてしまい、ユーザが番組を識別できない場合があり不便である。特許文献１では、ＥＰＧデータの情報では不十分である場合やＥＰＧデータがない場合は、外部からＥＰＧデータと同等のデータを取得して、このデータをもとにして情報管理テーブルを作成するとの抽象的記載があるに過ぎない。特許文献２では、番組情報が不完全な場合について言及するところがない。
【０００８】
そこで本発明の一態様は、上記問題に鑑みてなされたものであり、番組を識別する際のユーザの利便性を向上させることを可能とする番組情報補正システム、番組情報補正装置、電子機器、番組情報補正方法、番組情報取得方法、番組情報補正プログラム及び番組情報取得プログラムを提供することを課題とする。
【課題を解決するための手段】
【０００９】
（１）本発明の一態様は、少なくとも一つの電子機器と番組情報補正装置とを具備する番組情報補正システムであって、前記電子機器は、ユーザの操作を受け付ける入力部と、
前記入力部が受け付けたユーザ操作に応じて番組を特定するための番組特定情報を、該番組特定情報に応じて前記番組に関する番組情報を補正する前記番組情報補正装置へ送信し、該番組情報補正装置から変更後の番組情報を受信する端末通信部と、前記端末通信部が受信した変更後の番組情報を表示装置に表示させる制御部と、を備え、前記番組情報補正装置は、ユーザの操作に応じて前記電子機器から送信された、前記番組を特定するための番組特定情報を受信する通信部と、前記通信部が受信した番組特定情報に応じて、前記番組情報を変更する補正部と、を備え、前記通信部は、前記補正部が変更した番組情報を前記電子機器に送信する番組情報補正システムである。
【００１０】
（２）また、本発明の一態様は、上述の番組情報補正システムであって、前記番組情報補正装置は、番組のタイトル、話数及びサブタイトルが関連付けられて記憶されている番組情報記憶部を備え、前記補正部は、番組のタイトルを少なくともキーにして、前記番組情報記憶部から話数またはサブタイトルのうち少なくともいずれかを読み出し、読み出したもので前記番組情報を補完する。
【００１１】
（３）また、本発明の一態様は、上述の番組情報補正システムであって、前記通信部は、番組のタイトルを少なくとも含む番組情報を前記電子機器から受信し、前記補正部は、通信部が受信した番組情報から番組のタイトル、話数及びサブタイトルの抽出を試み、全て抽出できなかった場合、抽出できなかったものを前記番組情報記憶部に蓄積されたデータで補完する。
【００１２】
（４）また、本発明の一態様は、前記番組情報記憶部には、番組の日時に関する番組日時情報と番組を識別する番組識別情報とが前記番組情報に関連付けられて記憶されており、前記通信部は、番組の録画情報を少なくとも一つ以上の電子機器から受信し、前記番組情報補正装置は、受信した番組の録画情報に含まれる番組の日時と番組識別情報とが、前記番組情報記憶部に蓄積されている番組の日時と番組識別情報とに一致する場合、前記番組の録画情報と前記番組情報記憶部に蓄積されている番組情報のうち最新の方を蓄積し、一致しない場合、受信した番組の録画情報を前記番組情報記憶部に蓄積する蓄積処理部を備える。
【００１３】
（５）また、本発明の一態様は、上述の番組情報補正システムであって、番組の順位に関する順位情報を生成する番組順位生成部を備え、前記補正部は、前記番組順位生成部が生成した順位情報を前記番組情報に付加する。
【００１４】
（６）また、本発明の一態様は、上述の番組情報補正システムであって、前記通信部は、ユーザが指定した項目を示す項目情報を前記電子機器から受信し、前記補正部は、前記通信部が受信した項目情報を前記番組情報に付加する。
【００１５】
（７）また、本発明の一態様は、番組の番組情報の表示に関するユーザの操作に応じて電子機器から送信された前記番組を特定するための番組特定情報を受信する通信部と、前記通信部が受信した番組特定情報に応じて、前記番組情報を変更する補正部と、を備え、
前記通信部は、前記補正部が変更した番組情報を前記電子機器に送信する番組情報補正装置である。
【００１６】
（８）また、本発明の一態様は、ユーザの操作を受け付ける入力部と、前記入力部が受け付けたユーザ操作に応じて番組を特定するための番組特定情報を、該番組特定情報に応じて前記番組に関する番組情報を変更する番組情報補正装置へ送信し、該番組情報補正装置から変更後の番組情報を受信する通信部と、前記通信部が受信した変更後の番組情報を表示装置に表示させる制御部と、を備える電子機器である。
【００１７】
（９）また、本発明の一態様は、通信部が、ユーザの操作に応じて電子機器から送信された、前記番組を特定するための番組特定情報を受信する手順と、補正部が、前記通信部が受信した番組特定情報に応じて、前記番組に関する番組情報を変更する手順と、前記通信部が、前記補正部が変更した番組情報を前記電子機器に送信する手順と、を有する番組情報補正方法である。
【００１８】
（１０）また、本発明の一態様は、入力部が、ユーザの操作を受け付ける手順と、通信部が、前記入力部が受け付けたユーザ操作に応じて番組を特定するための番組特定情報を、該番組特定情報に応じて前記番組に関する番組情報を変更する番組情報補正装置へ送信し、該番組情報補正装置から変更後の番組情報を受信する手順と、制御部が、前記通信部が受信した変更後の番組情報を表示装置に表示させる手順と、を有する番組情報取得方法である。
【００１９】
（１１）また、本発明の一態様は、番組情報補正装置に、ユーザの操作に応じて電子機器から送信された、番組を特定するための番組特定情報を受信する通信ステップと、前記通信ステップにより受信された番組特定情報に応じて、前記番組に関する番組情報を変更する変更ステップと、前記変更ステップにより変更された番組情報を前記電子機器に送信するステップと、を実行させるための番組情報補正プログラムである。
【００２０】
（１２）また、本発明の一態様は、電子機器に、ユーザの操作を受け付ける入力ステップと、前記入力ステップにより受け付けられたユーザ操作に応じて番組を特定するための番組特定情報を、該番組特定情報に応じて前記番組に関する番組情報を変更する番組情報補正装置へ送信し、該番組情報補正装置から変更後の番組情報を受信する通信ステップと、前記通信ステップにより受信された変更後の番組情報を表示装置に表示させる制御ステップと、を実行させるための番組情報取得プログラムである。
【発明の効果】
【００２１】
本発明の一態様によれば、番組を識別する際のユーザの利便性を向上させることができる。
【図面の簡単な説明】
【００２２】
【図１】第１の実施形態における番組情報補完システムの構成を示す概略ブロック図である。
【図２】第１の実施形態における録画装置の構成を示す概略ブロック図である。
【図３】第１の実施形態における番組情報補完サーバの構成を示す概略ブロック図である。
【図４】第１の実施形態における番組情報補完システムの処理の流れの一例を示すシーケンス図である。
【図５】ＳＩ情報からタイトル、話数、及びサブタイトルを抽出する処理を説明するための図である。
【図６】完品パターンと欠品パターンを説明するための図である。
【図７】欠品パターンＡの補完処理を説明するための図である。
【図８】欠品パターンＢの補完処理を説明するための図である。
【図９】欠品パターンＣの補完処理の問題点を説明するための図である。
【図１０】ユーザに話数を入力させることで欠品パターンＣの補完をする一例を説明するための図である。
【図１１】第２の実施形態における番組情報補完システムの構成を示す概略ブロック図である。
【図１２】第２の実施形態における録画装置の構成を示す概略ブロック図である。
【図１３】第２の実施形態における番組情報補完システムの処理を説明するための図である。
【図１４】第１の変形例における録画装置に表示される補正後の画面の一例である。
【図１５】第２の変形例における録画装置に表示される補正後の画面の一例である。
【発明を実施するための形態】
【００２３】
＜第１の実施形態＞
以下、本発明の実施形態について、図面を参照して詳細に説明する。本実施形態では、番組情報補正システムの一例として、番組情報補完システム１について説明する。図１は、第１の実施形態における番組情報補完システム１の構成を示す概略ブロック図である。番組情報補完システム１は、録画装置１００−１、１００−２、１００−３、１００−４、１００−５、…、１００−Ｎ（Ｎは正の整数）からなるＮ個の録画装置１００−ｉ（ｉは１からＮまでの整数）と番組情報補完サーバ（番組情報補正装置）２００とを備える。以降、Ｎ個の録画装置１００−ｉを総称して、録画装置１００ともいう。
【００２４】
録画装置１００は、例えば、番組を録画する際に、自装置の放送波受信部で放送波に含まれるＳＩ情報を抜き出すことで、その番組のＳＩ情報を取得する。ここでＳＩ情報とは、放送局の公式番組情報である。録画装置１００は、例えば、予め決められた周期でＳＩ情報を番組情報補完サーバ２００へ送信する。番組情報補完サーバ２００は、ＳＩ情報を受信し、受信したＳＩ情報を蓄積する。
録画装置１００は、例えば、録画開始時に、その録画番組を特定する番組特定情報を送信する。本実施形態では、一例として、番組特定情報は、タイトル、話数、及びサブタイトルを含む。番組情報補完サーバ２００は、例えば、録画装置１００から受信した番組特定情報からタイトル、話数、サブタイトルを全て抽出できなかった場合にそれらの情報を補完する。そして、番組情報補完サーバ２００は、補完により得られた完品番組情報（以下、「完品」ともいう）を録画装置１００へ送信する。これにより、録画装置１００は、番組情報補完サーバ２００から受信した完品番組情報を外部の表示装置１５０（図２）に表示させることができる。
【００２５】
図２は、第１の実施形態における録画装置１００の構成を示す概略ブロック図である。録画装置１００は、入力部１１０と、録画情報記憶部１２０と、制御部１３０と、端末通信部１４０と、放送波受信部１６０とを備える。
放送波受信部１６０は、外部のアンテナから入力された放送信号からＳＩ情報を抜き出して、番組毎のＳＩ情報を取得する。また、放送波受信部１６０は、外部のアンテナから入力された放送信号から映像信号を抽出する。そして、放送波受信部１６０は、ＳＩ情報と映像信号とを番組毎に関連付けて録画情報記憶部１２０に記憶させる。
入力部１１０は、例えば、ある番組の録画を指示するユーザからの入力を受け付ける。入力部１１０は、受け付けた入力を示す入力情報を制御部１３０の後述する録画情報抽出部１３１に出力する。例えば、入力部１１０は、赤外線受光素子を有し、ユーザが操作した不図示のリモコンから出射された赤外線を検知することにより、ユーザの入力を受け付ける。
【００２６】
録画情報記憶部１２０には、ＳＩ情報が記憶されている。ＳＩ情報は、デジタル放送の番組を一意に識別する情報とバージョンと第１番組情報と第２番組情報で構成される。デジタル放送の番組を一意に識別する情報は、放送開始日時、original_network_id、network_id、ts_id、service_id、event_id、及び国を含む情報である。original_network_idは、放送波の方式（例えば、ＢＳ、ＣＳ、地上デジタルなど）の識別子である。network_idは、放送局を識別子である。ts_idは、各ＴＳ（Transport Stream：トランスポートストリーム）に割り当てられる識別子である。service_idは、各サービスに割り当てられる識別値であり、全国の地上デジタル音声放送において固有の値である。event_idは、１サービス内で一意的に割り当てられるイベントの識別番号である。以降、original_network_id、network_id、ts_id、service_id、event_idを総称して番組ＩＤとも言う。バージョンは、ＳＩ情報が更新される毎に更新されるＳＩ情報のバージョンである。第１番組情報は、番組タイトル、話数、サブタイトルのうち少なくともいずれか一つを含む情報である。第２番組情報は、番組タイトル、話数、サブタイトルのうち少なくともいずれか一つを含む情報である。第１番組情報と第２番組情報のいずれに、番組タイトル、話数、サブタイトルが含まれるかは放送局毎に異なる。
【００２７】
制御部１３０は、録画情報抽出部１３１と、表示制御部１３２とを備える。
録画情報抽出部１３１は、例えば、予め決められた周期で、録画情報記憶部１２０に記憶されているＳＩ情報を抽出する。そして、録画情報抽出部１３１は、抽出したＳＩ情報を、端末通信部１４０を介して番組情報補完サーバ２００へ送信する。
【００２８】
なお、本実施形態において、録画情報抽出部１３１は、予め決められた周期でＳＩ情報を録画情報記憶部１２０から抽出したが、これに限ったものではない。録画情報抽出部１３１は、ユーザの選局時に録画装置が保持する選局後の番組のＳＩ情報を抽出し、抽出したＳＩ情報を録画情報抽出部１３１が番組情報補完サーバ２００へ送信するようにしてもよい。
また、録画情報抽出部１３１は、録画開始時に録画番組に対応したＳＩ情報を抽出し、抽出したＳＩ情報を番組情報補完サーバ２００へ送信するようにしてもよい。
【００２９】
録画情報抽出部１３１は、例えば、録画開始時に、録画情報記憶部１２０からその録画番組を特定するための番組特定情報を抽出する。ここで番組特定情報は、例えば、放送開始日時、original_network_id、network_id、ts_id、service_id、event_id、国の組である。放送開始日時は、すなわち録画を開始した日時である。具体的には、例えば、録画情報抽出部１３１は、入力部１１０からユーザにより録画開始指示を受け付けた場合、録画情報記憶部１２０からその番組を特定するための番組特定情報を抽出する。そして、録画情報抽出部１３１は、抽出した番組特定情報を端末通信部１４０を介して番組情報補完サーバ２００へ送信する。
【００３０】
端末通信部１４０は、入力部１１０が受け付けたユーザ操作に応じて、番組を特定するための番組特定情報を番組情報補完サーバ２００へ送信する。番組情報補完サーバ２００は、例えば、該番組特定情報から完品番組情報を生成する。ここで、番組情報は、一例として番組のタイトル、話数及びサブタイトルが含む。完品番組情報は、例えば、録画装置１００が録画一覧を表示する際に、各番組について表示する情報である。
また、端末通信部１４０は、番組情報補完サーバ２００から補完後の番組情報を受信し、受信した補完後の番組情報を表示装置１５０へ送出する。表示装置１５０は、補完後の番組情報を表示する。これにより、録画装置１００は、完品をユーザに提示することができる。
なお、録画装置１００は表示装置１５０と一体に構成されてもよい。
【００３１】
続いて、番組情報補完サーバ２００について説明する。図３は、第１の実施形態における番組情報補完サーバ２００の構成を示す概略ブロック図である。番組情報補完サーバ２００は、サーバ通信部２１０と、処理部２２０と、番組情報記憶部２３０とを備える。ここで、処理部２２０は、蓄積処理部２２１と、補正部２２２とを備える。
【００３２】
サーバ通信部２１０は、録画装置１００が送信したＳＩ情報を受信する。そして、蓄積処理部２２１は、受信したＳＩ情報に含まれる開始日時と番組ＩＤが、番組情報記憶部２３０に保持しているＳＩ情報に含まれる開始日時と番組ＩＤに全て一致する場合、バージョンが新しい方のＳＩ情報を番組情報記憶部２３０に蓄積し、バージョンが古い方のＳＩ情報を番組情報記憶部２３０において破棄する。
【００３３】
また、サーバ通信部２１０は、録画装置１００から送信された番組特定情報を受信し、受信した番組特定情報を蓄積処理部２２１へ出力する。
補正部２２２は、サーバ通信部２１０から入力された番組特定情報を解析し、例えば、その番組特定情報からタイトル、話数、及びサブタイトルを抽出する。その際、例えば、補正部２２２は、番組情報の空白毎に区切ることで、先頭からタイトル、話数、及びサブタイトルを抽出する。そして、補正部２２２は、全て抽出できた場合、例えば、番組情報記憶部２３０にタイトル、話数、及びサブタイトルの組を完品番組情報として蓄積する。ここで、蓄積する際に、補正部２２２は文字列を半角から全角に統一してもよい。
【００３４】
一方、すべて抽出できなかった場合、補正部２２２は、例えば、抽出したタイトル、話数、またはサブタイトルをキーとして、番組情報記憶部２３０を検索し、後述する方式で抽出できなかったものを補完し、補完後により得られた番組情報を完品番組情報として番組情報記憶部２３０に蓄積する。なお、補正部２２２は、番組情報記憶部２３０を検索する際に、検索のキーとするタイトルまたはサブタイトルにハートマークまたはＳが四角で囲まれた文字などの特殊文字が含まれていても、それらの特殊文字を無視して検索してもよい。また、補正部２２２は、検索のキーとする文字列を半角から全角に統一してもよい。
補正部２２２は、サーバ通信部２１０から入力された番組特定情報に対応する完品番組情報（例えば、タイトル、話数及びサブタイトル組の情報）を、サーバ通信部２１０を介して録画装置１００へ送信する。
【００３５】
なお、番組情報に「第○話」または「＃○」という文字列が含まれている場合、補正部２２２は「○」で示される数字を話数として抽出してもよい。また、番組情報に鍵括弧で囲まれている文字列が含まれている場合、補正部２２２は鍵括弧で囲まれた文字列（「○○○」の場合、鍵括弧を外した○○○）をサブタイトルとして抽出してもよい。
【００３６】
図４は、第１の実施形態における番組情報補完システム１の処理の流れの一例を示すシーケンス図である。
（Ｔ１０１）まず、録画装置１００は、番組のＳＩ情報を番組情報補完サーバ２００へ送信する。
（Ｔ１０２）次に、番組情報補完サーバ２００は、録画装置１００から送信されたＳＩ情報を受信し、受信したＳＩ情報と保持しているＳＩ情報のうちバージョンが新しい方のＳＩ情報を蓄積する。
（Ｔ１０３）次に、録画開始時に、録画装置１００は、録画番組の番組特定情報を番組情報補完サーバ２００へ送信する。
（Ｔ１０４）次に、番組情報補完サーバ２００は、番組特定情報からタイトル、話数、及びサブタイトルを抽出する。
（Ｔ１０５）次に、番組情報補完サーバ２００は、タイトル、話数、及びサブタイトルを全て抽出できたか否か判定する。タイトル、話数、及びサブタイトルを全て抽出できた場合（ＹＥＳ）、番組情報補完サーバ２００は、Ｔ１０６の処理に進む。タイトル、話数、及びサブタイトルを全て抽出できなかった場合（ＮＯ）、番組情報補完サーバ２００は、Ｔ１０７の処理に進む
（Ｔ１０６）次に、番組情報補完サーバ２００は、抽出したタイトル、話数、及びサブタイトルを完品番組情報として番組情報記憶部２３０に蓄積する。
（Ｔ１０７）次に、番組情報補完サーバ２００は、番組情報記憶部２３０を参照して、抽出できなかったものを補完することで、完品番組情報を生成する。
（Ｔ１０８）次に、番組情報補完サーバ２００は、完品番組情報を録画装置１００へ送信する。
（Ｔ１０９）次に、録画装置１００は、番組情報を番組情報補完サーバ２００から受信した完品番組情報で更新し、外部の表示装置１５０に完品番組情報を表示させる。これにより、ユーザはタイトル、話数、サブタイトルを完全な状態で見ることができる。
【００３７】
＜補完処理の詳細＞
続いて、番組情報補完サーバ２００の補正部２２２における番組情報の補完処理の詳細について説明する。図５は、ＳＩ情報から番組タイトル、話数、及びサブタイトルを抽出する処理を説明するための図である。同図において、番組タイトルＳＩ情報の一部として番組タイトルと番組情報とが示されている。同図において、番組情報補完サーバ２００の蓄積処理部２２１によって、第１番組情報と第２番組情報からタイトル、話数、及びサブタイトルが番組情報記憶部２３０から抽出されることが示されている。ここで、ＳＩ情報のうち番組ＩＤ、放送開始日時、タイトル（番組タイトル）は完全な状態であることが保証されているものとする。
【００３８】
図６は、完品パターンと欠品パターンを説明するための図である。ここで、完品パターンは、番組情報が完全であるパターンである。欠品パターンは、番組情報を構成する情報のうち少なくとも一つの情報が欠けているパターンである。同図において、完品パターンと三つの欠品パターンが示されている。完品パターンは、タイトル、話数、サブタイトルが揃っている。欠品パターンＡは、タイトル及び話数が揃っているが、サブタイトルが欠けている。欠品パターンＢは、タイトル及びサブタイトルが揃っているが、話数が欠けている。欠品パターンＣは、タイトルが揃っているが、話数及びサブタイトルが欠けている。
【００３９】
図７は、欠品パターンＡの補完処理を説明するための図である。同図において、欠品パターンＡと番組情報記憶部２３０に蓄積されている完品パターαンが示されている。欠品パターンＡと当該完品パターンとの間でタイトルと話数とが共通している（マッチしている）ので、欠品パターンＡの空欄は当該完品パターンαのサブタイトルで補完される。
【００４０】
図８は、欠品パターンＢの補完処理を説明するための図である。同図において、欠品パターンＢと番組情報記憶部２３０に蓄積されている完品パターンβが示されている。欠品パターンＢと当該完品パターンβとの間でタイトルとサブタイトルとが共通している（マッチしている）ので、欠品パターンＢの空欄は当該完品パターンの話数で補完される。
【００４１】
図９は、欠品パターンＣの補完処理の問題点を説明するための図である。同図において、欠品パターンＣと番組情報記憶部２３０に蓄積されている三つの完品パターンγ１、γ２及びγ３が示されている。欠品パターンＣと三つの完品パターンγ１〜γ３との間でタイトルが共通している（マッチしている）。しかし、欠品パターンＣでは話数とサブタイトルが欠けているので、番組情報補完サーバ２００の補正部２２２は、上記三つの完品パターンのうちどの完品パターンγ１〜γ３を用いて補完すればいいのか判断できない。
【００４２】
図１０を用いて、欠品パターンＣの場合であっても補完する処理の一例を説明する。図１０は、ユーザに話数を入力させることで欠品パターンＣの補完をする一例を説明するための図である。
図１０において、欠品パターンＣの場合に、外部の表示装置１５０（図２）の画面に画面Ｇ１が示されている。画面Ｇ１において、「情報を保管することができませんでした」というメッセージが表示されている。また、画面Ｇ１において、「話数はわかりますか？わかれば入力してください」というように話数の入力を促すメッセージが表示されている。画面Ｇ１では、このメッセージに促されたユーザが話数として「３」を入力したことで「３」が表示されている。また、図１０において、ユーザが話数を入力することで、欠品パターンＣの番組特定情報Ｐ１の話数の空欄が、入力された話数で補完されて、番組特定情報Ｐ２が得られることが示されている。
【００４３】
この場合の処理の一例は以下の通りである。番組情報補完サーバ２００の補正部２２２は、欠品パターンＣの場合、補完できなかった旨を録画装置１００に通知する。録画装置１００はその通知を受けた場合、一例として画面Ｇ１を表示し、話数の入力をユーザに促し、ユーザからの話数の入力を受け付ける。そして、録画装置１００は、受け付けた話数を番組特定情報Ｐ１に補完することで番組特定情報Ｐ２を得る。
【００４４】
続いて、図１０において、録画装置１００は、番組特定情報Ｐ２を番組情報補完サーバ２００へ送信する。これにより、番組情報補完サーバ２００の補正部２２２は、タイトルと話数をキーにして、再度、番組情報記憶部２３０を検索する。そして、番組情報補完サーバ２００の補正部２２２は、番組情報記憶部２３０においてタイトルと話数が一致する番組情報を参照して、一致した番組情報からサブタイトルを抽出する。そして、番組情報補完サーバ２００の補正部２２２は、抽出したサブタイトルで、番組情報のサブタイトルの空欄を補完することで完品番組情報Ｐ３を得る。そして、番組情報補完サーバ２００のサーバ通信部２１０は、完品番組情報Ｐ３を録画装置１００へ送信する。そして、録画装置１００は、完品番組情報Ｐ３を外部の表示装置１５０に表示する。これにより、ユーザはタイトル、話数、サブタイトルを完全な状態で見ることができる。
【００４５】
なお、本実施形態では、一例としてユーザから話数の入力を受け付けたが、サブタイトルの入力を受け付けるようにしてもよい。
【００４６】
なお、欠品パターンＣの場合の番組情報の補完処理は上述の処理に限らず、以下の処理であってもよい。例えば、番組情報補完サーバ２００の補正部２２２は、番組情報記憶部２３０を検索し、毎週放送されているケースの場合はその番組が始まったときの話数を１話とし、補完の対象となる番組の話数を推定してもよい。
また、例えば、番組情報補完サーバ２００の補正部２２２は、番組情報記憶部２３０を検索し、同一日時の同一地方系列(例えば、中京テレビ（登録商標）の場合は日本テレビ（登録商標）)の番組を参照し、参照した番組の話数またはサブタイトルで番組情報を補完してもよい。
また、番組情報補完サーバ２００の補正部２２２は、タイトルに「新」と付いているものを第一話として、補完の対象となる番組の話数を推定してもよい。
【００４７】
以上、本実施形態における番組情報補完システム１において、番組情報補完サーバ２００の番組情報記憶部２３０は、番組タイトル、話数及びサブタイトルが関連付けられて記憶されている。そして、番組情報補完サーバ２００の補正部２２２は、タイトルを少なくともキーにして、番組情報記憶部２３０から話数またはサブタイトルのうち少なくともいずれかを読み出し、読み出したもので番組情報を補完する。番組情報補完サーバ２００のサーバ通信部２１０は、補完後の番組情報を完品番組情報として録画装置１００に送信する。これにより、録画装置１００は、完品番組情報を番組情報補完サーバ２００から受信し、外部の表示装置１５０に完品番組情報を表示させる。これにより、完品番組情報が表示されることで、ユーザは番組が識別しやすくなるので、ユーザの利便性が向上する。また、録画時間、放送局が異なっていても、番組情報が正しく補完されるので、ユーザは同一番組を正しく識別することができる。また、番組情報が正しく補完されるので、録画された番組の検索性が向上するので、ユーザの利便性が向上する。
【００４８】
また、本実施形態において、サーバ通信部２１０は、番組タイトルを少なくとも含む番組情報を録画装置１００から受信する。そして、補正部２２２は、サーバ通信部２１０が受信した番組情報から番組タイトル、話数及びサブタイトルの抽出を試み、全て抽出できた場合、抽出した番組タイトル、話数及びサブタイトルを番組情報記憶部２３０に蓄積する。一方、補正部２２２は、全て抽出できなかった場合、抽出できなかったものを番組情報記憶部２３０に蓄積されたデータで補完する。
これにより、サーバ通信部２１０が受信した番組情報にサブタイトルまたは話数の欠落があっても、補正部２２２が番組情報記憶部２３０に蓄積されたデータで補完することができる。
【００４９】
また、本実施形態において、番組情報記憶部２３０には、番組の日時（例えば、放送開始日時）に関する番組日時情報と番組を識別する番組識別情報とが番組情報に関連付けられて記憶されている。サーバ通信部２１０は、番組の録画情報を少なくとも一つ以上の録画装置１００から受信する。番組情報補完サーバ２００の蓄積処理部２２１は、受信した番組の録画情報に含まれる番組の日時と番組識別情報とが、番組情報記憶部２３０に蓄積されている番組の日時と番組識別情報とに一致する場合、番組の録画情報と番組情報記憶部２３０に蓄積されている番組情報のうち最新の方を蓄積する。一方、一致しない場合、蓄積処理部２２１は、受信した番組の録画情報を番組情報記憶部２３０に蓄積する。
これにより、番組情報記憶部２３０に蓄積されている番組の録画情報が最新のものに更新されるので、番組情報が補完される場合に常に最新の録画情報で補完される。また、番組情報記憶部２３０に蓄積されていない番組の録画情報が追加で、番組情報記憶部２３０に蓄積されるので、人が新しい番組が放送される毎に録画情報を番組情報補完サーバ２００に記憶させるという手間がいらないので、管理コストを少なくすることができる。
【００５０】
なお、録画装置１００は、補完後の番組情報を用いて、連続ドラマ、連続アニメなどの番組の番組情報を話数順に並び替えても良い。これにより、番組の話数順に表示されるので、録画された番組の視認性及び検索性が向上するので、ユーザの利便性が向上する。
また、録画装置１００は、補完後の番組情報において、タイトル、話数、サブタイトルが完全に一致する録画データを一つだけ残して、他のデータを録画装置１００が備える不図示の記憶媒体（例えば、ＨＤＤ：ハードディスク）から削除してもよい。これにより、録画装置１００は、記憶媒体の容量を節約することができる。
【００５１】
＜第２の実施形態＞
続いて、第２の実施形態について説明する。図１１は、第２の実施形態における番組情報補完システム１ｂの構成を示す概略ブロック図である。番組情報補完システム１ｂは、録画装置１００ｂ−１、１００ｂ−２、１００ｂ−３、１００ｂ−４、１００ｂ−５、…、１００ｂ−Ｎ（Ｎは正の整数）からなるＮ個の録画装置１００ｂ−ｉと番組情報補完サーバ２００とを備える。以降、Ｎ個の録画装置１００ｂ−ｉを総称して、録画装置１００ｂともいう。
【００５２】
第１の実施形態では、録画装置１００は録画開始時に番組特定情報を抽出した。それに対し、第２の実施形態において、例えば、録画装置１００ｂは、録画番組のリスト（以下、録画リストという）を表示した画面において、録画された番組（以下、録画番組という）のタイトルがユーザにより選択されたときに、その録画番組の番組特定情報を抽出する。そして、録画装置１００ｂは、端末通信部１４０を介して抽出した番組特定情報を番組情報補完サーバ２００へ送信する。
【００５３】
録画装置１００ｂは、録画リストを表示した画面において、録画された番組（以下、録画番組という）のタイトルが選択されたときに、その録画番組の番組特定情報を録画情報記憶部１２０から抽出する。そして、録画情報抽出部１３１ｂは、抽出した番組特定情報を端末通信部１４０を介して番組情報補完サーバ２００へ送信する。
【００５４】
図１２は、第２の実施形態における録画装置１００ｂの構成を示す概略ブロック図である。図２と共通する要素には同一の符号を付し、その具体的な説明を省略する。図１２の録画装置１００ｂの構成は、図２の録画装置１００の構成に対して、制御部１３０が制御部１３０ｂに変更されたものになっている。図１２の制御部１３０ｂの構成は、図２の制御部１３０の構成に対して、録画情報抽出部１３１が録画情報抽出部１３１ｂに変更されたものになっている。
【００５５】
入力部１１０は、外部の表示装置１５０に録画リストが表示されているときに、ユーザがその録画リストの中から一つの録画番組の選択を受け付ける。入力部１１０は、選択を受け付けた録画番組を示す録画番組情報を録画情報抽出部１３１ｂへ出力する。
録画情報抽出部１３１ｂは、入力部１１０から入力された録画番組情報が示す録画番組の番組特定情報を録画情報記憶部１２０から抽出する。そして、録画情報抽出部１３１ｂは、抽出した番組特定情報を、端末通信部１４０を介して番組情報補完サーバ２００へ送信する。
【００５６】
図１３は、第２の実施形態における番組情報補完システム１ｂの処理を説明するための図である。同図における録画リストＬ１４１は、外部の表示装置１５０の画面に表示された録画リストの一例である。録画リストＬ１４１において、上から３段目の録画番組の情報（以下、録画番組情報という）が四角Ｒ１４２で囲まれており、この上から３段目の録画番組情報がユーザにより選択されていることが示されている。録画リストＬ１４３は、録画装置１００がこの上から３段目の録画記録に対して番組情報補完サーバ２００から完全な番組情報を取得した後の録画リストである。録画リストＬ１４３において、上から３段目の録画記録中の破線で囲まれた領域Ｒ１４４において、タイトル、話数、サブタイトルが示されている。このように、ユーザが録画記録を選択することだけで、番組情報補完システム１ｂはその録画記録の不完全な番組情報を完全な番組情報に切り替えて表示させることができるので、ユーザの利便性が向上する。
【００５７】
なお、各実施形態において、補正部２２２は、話数またはサブタイトルのいずれかを補完したが、話数またはサブタイトルに限らず、番組情報が他の情報を含んでいれば、他の情報を補完してもよい。
また、各実施形態において、補正部２２２は、話数またはサブタイトルのいずれかを補完したが、補完に限ったものではない。補正部２２２は、ユーザが指定した項目（例えば、番組の属性情報）を番組情報に付加してもよい。付加する位置は、どこでもよく、番組情報の先頭でもよいし、番組情報の最後でもよいし、タイトルの直後でもよいし、話数の直後でもよい。具体的には、例えば、補正部２２２は、番組のジャンルをタイトルの前に付加してもよい。また、例えば、補正部２２２は、ユーザが録画番組をグループに分けた場合、グループ名などグループを識別する情報をタイトルの前に付加してもよい。また、例えば、補正部２２２は、録画予約されている旨をタイトルの前に付加してもよい。また、例えば、補正部２２２は、番組のキーワードをタイトルの前に付加してもよい。また、例えば、補正部２２２は、番組の出演者（例えば、ドラマの主演俳優または主演女優の名前）、監督（例えば、映画の監督）、演出家（例えば、ドラマの演出家）、脚本家（例えば、ドラマの脚本家）、原作者（例えば、ドラマの原作者）、製作指揮者（例えば、映画の製作指揮者）、製作会社などをタイトルの前に付加してもよい。これにより、番組情報の検索性が向上し、ユーザの利便性が向上する。
【００５８】
上述の例は、以下のような構成で実現してもよい。録画装置１００の入力部１１０は、ユーザが指定した項目を受け付ける。そして、録画装置１００の端末通信部１４０は、ユーザが指定した項目を示す項目情報を番組情報補完サーバ２００へ送信する。そして、番組情報補完サーバ２００のサーバ通信部２１０は、その項目情報を録画装置１００から受信する。そして、番組情報補完サーバ２００の補正部２２２は、サーバ通信部２１０が受信した項目情報を番組情報に付加する。
【００５９】
また、補正部２２２は、番組情報にタイトル、話数及びサブタイトル以外の余計な情報が含まれている場合、この余計な情報を削除してもよい。また、補正部２２２は、タイトル、話数及びサブタイトルに誤字または脱字が含まれる場合、その誤字または脱字を正しい文字に置換してもよい。
このように、補正部２２２は、サーバ通信部２１０が受信した番組特定情報に応じて、番組に関する番組情報を補正してもよい。ここで、補正は補完、付加（追加）、削除、置換を含むものとする。その場合、サーバ通信部２１０は、補正部２２２が変更した番組情報を録画装置１００に送信してもよい。
【００６０】
なお、各実施形態において、録画装置について説明した。しかし、各実施形態は、録画装置に限らず、テレビ受像機、テレビ受像機能付き携帯電話（例えば、ワンセグ機能付き携帯電話）などにおいて実施することができる。また、各実施形態は、番組情報を取得できる電子機器において実施することができる。
【００６１】
以上のことから、実施形態の一つとして、少なくとも一つの電子機器と番組情報補正装置とを具備する番組情報補正システムにおける電子機器と番組情報補正装置の構成は以下の通りであってもよい。電子機器において、入力部がユーザの操作を受け付ける。端末通信部は、入力部が受け付けたユーザ操作に応じて上記番組を特定するための番組特定情報を、該番組特定情報に応じて上記番組情報を変更する番組情報補正装置へ送信し、該番組情報補正装置から変更後の番組情報を受信する。制御部は、端末通信部が受信した変更後の番組情報を表示装置に表示させる。
番組情報補正装置において、サーバ通信部はユーザの操作に応じて上記電子機器から送信された番組を特定するための番組特定情報を受信する。補正部は、サーバ通信部が受信した番組特定情報に応じて、上記番組情報を変更する。そして、サーバ通信部は、補正部が変更した番組情報を前記電子機器に送信する。
【００６２】
＜第１の変形例＞
続いて、図１４を用いて変形例について説明する。図１４は、第１の変形例における録画装置１００に表示される補正後の画面の一例である。同図の補正後の画面では、ジャンルと番組情報識別情報が、タイトルの前に付加されている。ジャンルは、番組のジャンルを識別する情報で、例えば、「０１」がスポーツで「０２」がドラマである。番組識別情報は、番組を識別する情報である。番組識別情報は、例えば、上述した番組ＩＤである。
【００６３】
この例では、番組情報補完サーバ２００の補正部２２２が、ジャンルと番組識別情報をタイトルの前に付加する。これにより、録画装置１００は、ジャンルと番組識別情報で、番組情報をソートすることができる。その結果、番組情報がジャンルと番組識別情報とでソートされて表示されるのでユーザは見たい番組を容易に特定できるので、ユーザの利便性が向上する。
【００６４】
なお、番組情報補完サーバ２００の補正部２２２は、タイトルの前に番組識別情報（例えば、番組ＩＤ）と話数を示す数字を付加してもよい。これにより、録画装置１００は、番組識別情報と話数を示す数字で、番組情報をソートすることができる。その結果、番組情報が番組識別情報と話数を示す数字とでソートされて表示されるのでユーザは見たい番組を容易に特定できるので、ユーザの利便性が向上する。
【００６５】
また、番組情報補完サーバ２００の補正部２２２は、タイトルの前に放送月（例えば、西暦及び月の組）と番組識別情報（例えば、番組ＩＤ）を付加してもよい。これにより、録画装置１００は、放送月と番組識別情報で、番組情報をソートすることができる。その結果、放送月と番組識別情報とでソートされて表示されるのでユーザは見たい番組を容易に特定できるので、ユーザの利便性が向上する。なお、放送月は、放送日（例えば、月及び日の組）でも良いし、放送日時（例えば、月、日及び時間の組）でもよい。
【００６６】
また、番組情報補完サーバ２００の補正部２２２は、タイトルの前に放送局（例えば、ＮＨＫ）と番組識別情報を付加してもよい。これにより、録画装置１００は、放送局と番組識別情報で、自らが録画した番組情報をソートすることができる。その結果、放送局と番組識別情報とでソートされて表示されるのでユーザは見たい番組を容易に特定できるので、ユーザの利便性が向上する。なお、放送局は、放送局の名称に限らず、放送局を識別する数字であってもよく、放送局を識別する情報であればよい。
【００６７】
＜第２の変形例＞
続いて、図１５を用いて変形例について説明する。第２の変形例における録画装置１００に表示される補正後の画面の一例である。同図の補正後の画面では、ジャンルと「みんなのランキング」が、タイトルの前に付加されている。ジャンルは、番組のジャンルを識別する情報で、例えば、「０１」がスポーツで「０２」がドラマである。「みんなのランキング」は、その番組の人気順位で、例えば、ユーザの投票数が多いものから順位付けされた（ランキングされた）全国ランキングである。なお、この例では、全国ランキングとしたが、これに限らず、一地方（例えば、関東）または一都道府県（例えば、東京）のランキングであってもよい。また、この例では、複数のユーザの投票数が多いものからランキングしたが、これに限らず、録画しているユーザの人数が多いものからランキングしたものであってもよい。また、ユーザの録画再生数が多いものからランキングしたものであってもよい。また、録画装置１００から番組情報補完サーバ２００への問い合わせが多いものからランキングしたものであってもよい。
【００６８】
この例では、録画装置１００の入力部１１０は、例えば、ユーザが不図示のリモコンか使って入力した、ある番組に対する投票を受け付ける。そして、録画装置１００の端末通信部１４０は、受け付けた投票を示す投票情報を番組情報補完サーバ２００へ送信する。番組情報補完サーバ２００のサーバ通信部２１０は、録画装置１００から、ある番組に対する投票情報を受信する。そして、番組情報補完サーバ２００の蓄積処理部２２１は、投票情報を受信する毎に、番組情報記憶部２３０に蓄積された、その番組に対応する投票数を１増やす。これにより、蓄積処理部２２１は、番組毎の投票数を蓄積する。このように、番組順位生成部としての蓄積処理部２２１は、番組の順位に関する順位情報（例えば、みんなのランキング）を生成する。
【００６９】
番組情報補完サーバ２００の補正部２２２は、ジャンルとみんなのランキングをタイトルの前に付加する。すなわち、番組情報補完サーバ２００は、番組の順位に関する順位情報を生成する番組順位生成部を更に備える。そして、補正部２２２は、番組順位生成部が生成した順位情報を番組情報に付加する。これにより、録画装置１００は、ジャンル別のランキングで、自らが録画した番組情報をソートすることができる。その結果、あくまで録画された番組情報がジャンル別のランキングでソートされて表示されるので、ユーザは、録画された番組の中から、見たいジャンルの番組のうち人気が高いものを容易に選択して視聴することができるので、ユーザの利便性が向上する。
【００７０】
なお、本実施形態の録画装置１００または番組情報補完サーバ２００の各処理を実行するためのプログラムをコンピュータ読み取り可能な記録媒体に記録して、当該記録媒体に記録されたプログラムをコンピュータシステムに読み込ませ、実行することにより、録画装置１００または番組情報補完サーバ２００に係る上述した種々の処理を行ってもよい。
【００７１】
なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７３】
以上、本発明の実施形態について図面を参照して詳述したが、具体的な構成はこの実施形態に限られるものではない。各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【符号の説明】
【００７４】
番組情報補完システム  １００、１００−１、１００−２、１００−３、１００−４、１００−５、…、１００−Ｎ  録画装置
１１０  入力部
１２０  録画情報記憶部
１３０、１３０ｂ  制御部
１３１、１３１ｂ  録画情報抽出部
１３２  表示制御部
１４０  端末通信部
１５０  表示装置
１６０  放送波受信部
２００  番組情報補完サーバ（番組情報補正装置）
２１０  サーバ通信部
２２０  処理部
２２１  蓄積処理部
２２２  補正部
２３０  番組情報記憶部
【図１】
2014072882.tif 000003
【図２】
2014072882.tif 000004
【図３】
2014072882.tif 000005
【図４】
2014072882.tif 000006
【図５】
2014072882.tif 000007
【図６】
2014072882.tif 000008
【図７】
2014072882.tif 000009
【図８】
2014072882.tif 000010
【図９】
2014072882.tif 000011
【図１０】
2014072882.tif 000012
【図１１】
2014072882.tif 000013
【図１２】
2014072882.tif 000014
【図１３】
2014072882.tif 000015
【図１４】
2014072882.tif 000016
【図１５】
2014072882.tif 000017